(57)【特許請求の範囲】
【請求項１】
マルチメディアサービスデータを送信するための基地局による方法であって、
複数のマルチメディアサービスが送信されるべき順序を表す送信順序情報を受信するステップ、
前記受信された送信順序情報を送信するステップ、
前記複数のマルチメディアサービスの開始インデックスを含むスケジュール情報を生成するステップ、
前記生成されたスケジュール情報を送信するステップ、及び
前記送信順序情報及び前記スケジュール情報に基づいて前記複数のマルチメディアサービスのデータを送信するステップ
を備える方法。
【請求項２】
請求項１記載の方法であって、前記複数のマルチメディアサービスの前記インデックスは連続している方法。
【請求項３】
請求項１記載の方法であって、前記送信順序情報はＭＣＣＨ論理チャネルを介して送信される方法。
【請求項４】
請求項１記載の方法であって、前記スケジュール情報はＬ１／Ｌ２シグナリング又はＬ３論理チャネルを介して送信される方法。
【請求項５】
請求項４記載の方法であって、前記スケジュール情報はＭＳＡＰの第１のサブフレームの中に追加される方法。
【請求項６】
請求項４記載の方法であって、前記スケジュール情報は様々なＭＡＣ  ＰＤＵに分配されるような態様で送信される方法。
【請求項７】
マルチメディアサービスデータを受信するための方法であって、
複数のマルチメディアサービスが送信されるべき順序を表す送信順序情報を受信するステップ、
前記複数のマルチメディアサービスの開始インデックスを含む、基地局により生成されたスケジュール情報を受信するステップ、及び
前記送信順序情報及び前記スケジュール情報に基づいて前記マルチメディアサービスのうちの特定のもののデータを受信するステップ
を備える方法。
【請求項８】
請求項７記載の方法であって、前記複数のマルチメディアサービスの前記インデックスは連続している方法。
【請求項９】
複数のマルチメディアサービスが送信されるべき順序を表す送信順序情報を受信するための手段、
前記複数のマルチメディアサービスの開始インデックスを含むスケジュール情報を生成するための生成手段、及び
前記送信順序情報及び前記スケジュール情報に基づいて前記複数のマルチメディアサービスのデータを送信するための送信手段
を備え、
前記送信手段は前記受信された送信順序情報及び前記生成されたスケジュール情報を送信するように構成された基地局。
【請求項１０】
複数のマルチメディアサービスが送信されるべき順序を表す送信順序情報を受信するため、及び前記複数のマルチメディアサービスの開始インデックスを含む、基地局により生成されたスケジュール情報を受信するための受信手段、並びに
前記送信順序情報及び前記スケジュール情報に基づいて前記マルチメディアサービスのうちの特定のもののデータを受信するための受信制御手段
を備えたユーザ機器。
【請求項１１】
請求項１０記載のユーザ機器であって、前記複数のマルチメディアサービスの前記インデックスは連続しているユーザ機器。
【発明の詳細な説明】
【技術分野】
【０００１】
本発明はマルチメディアサービスデータ送受信技術に関し、具体的には、マルチメディアサービスデータを送受信するための方法、ＳＦＮ（単一周波数ネットワーク）送信においてＭＢＭＳ（マルチメディアブロードキャスト／マルチキャストサービス）サービスの動的スケジューリングを可能にする基地局（ＮｏｄｅＢ機器）及びユーザ機器に関する。
【背景技術】
【０００２】
３ＧＰＰ（第３世代パートナーシッププロジェクト）は２００５年に、より高いデータスループット及びより良いネットワーク性能に対するオペレータ及び加入者からのますます増大する要求に対してサポートを提供することを目指すＬＴＥ（ロングタームエボリューション）を開始した。
【０００３】
３ＧＰＰ  Ｒｅｌ．６は（コアネットワーク及びアクセスネットワークを含む）ネットワーク資源の共用を実現し、より少ない資源で同一の要求のより多くのマルチメディアユーザにサービスを提供するために、単一のデータソースから複数のユーザにデータを送信するためのポイント・ツー・マルチポイントサービスであるＭＢＭＳを導入している。無線アクセスネットワークにおいて、公衆送信チャネル及び公衆無線キャリアを使用することにより、ＭＢＭＳサービスは、ピュアテキスト及びより低い速度のメッセージタイプ・マルチキャスト及びブロードキャストだけでなく、モバイルフォンテレビなど、より高い速度のマルチメディアサービス・マルチキャスト及びブロードキャストをも実行することができる。
【０００４】
ＬＴＥの下で、既存のＭＢＭＳサービスはＥ−ＭＢＭＳ（進化型ＭＢＭＳ）に進化してきた。いくつかのサービスは時分割方式で単一のマルチキャストチャネル（ＭＣＨ）上で多重化される。そのようなＭＣＨは、一般に、全てのシステム資源のうちの一部分を占有するだけであり、ＭＣＨによって占有されたそれらの資源はＭＳＡＰ（ＭＢＭＳサブフレーム割当パターン）によって表される。ＭＳＡＰは、不連続でよい一連のサブフレームを備える。一般に、ＭＳＡＰは全セッション中に変更を有することはめったになく、従って、単に静的スケジュール情報と呼ばれることがある。
【０００５】
ＵＥがＭＳＡＰしか知らない場合は、ＵＥはどのサブフレームが受信されるべきかを正確に知ることができないので、ＵＥはＭＣＨ上で全てのサービスを受信しなければならない可能性がある。従って、ＵＥの電力を温存するために、ＵＥに関連するそれらのサブフレームだけをどのように受信するべきかをＵＥにさらに示すことが望ましい。
【発明の概要】
【発明が解決しようとする課題】
【０００６】
本発明の目的は、マルチメディアサービスデータを送受信するための方法、ＳＦＮ送信においてＭＢＭＳサービスの動的スケジューリングを可能にするＮｏｄｅＢ機器及びユーザ機器を提供することである。
【課題を解決するための手段】
【０００７】
本発明の一態様は、マルチメディアサービスデータを送信するための方法であって、複数のマルチメディアサービスが送信されるべき順序を表す送信順序情報を受信するステップ、複数のマルチメディアサービスの開始インデックスを含むスケジュール情報を生成するステップ、並びに送信順序情報及びスケジュール情報に基づいて複数のマルチメディアサービスのデータを送信するステップを備える方法を提供する。
【０００８】
本発明の他の態様は、マルチメディアサービスデータを受信するための方法であって、複数のマルチメディアサービスが送信されるべき順序を表す送信順序情報を受信するステップ、複数のマルチメディアサービスの開始インデックスを含むスケジュール情報を受信するステップ、並びに送信順序情報及びスケジュール情報に基づいてマルチメディアサービスのうちの特定のもののデータを受信するステップを備える方法を提供する。
【０００９】
本発明の他の態様は、複数のマルチメディアサービスが送信されるべき順序を表す送信順序情報を受信するための手段、複数のマルチメディアサービスの開始インデックスを含むスケジュール情報を生成するための生成手段、並びに送信順序情報及びスケジュール情報に基づいて複数のマルチメディアサービスのデータを送信するための送信手段を備える基地局を提供する。
【００１０】
本発明のさらに他の態様は、複数のマルチメディアサービスが送信されるべき順序を表す送信順序情報を受信するため、及び複数のマルチメディアサービスの開始インデックスを含むスケジュール情報を受信するための受信手段、並びに送信順序情報及びスケジュール情報に基づいてマルチメディアサービスのうちの特定のもののデータを受信するための受信制御手段を備えるユーザ機器を提供する。
【００１１】
本発明の方法及び機器を用いれば、ＳＦＮネットワークにおいてＭＢＭＳサービスのための動的スケジューリングが実行されることが可能であり、その結果、ユーザ機器の電力温存が不連続送信の場合に実現されることが可能であり、静的多重化が首尾よく行われることが可能である。
【００１２】
本発明の上記及び他の目的、特徴並びに利点は、諸図面を参照しながらの好ましい諸実施形態の以下の説明からより明らかになるであろう。
【図面の簡単な説明】
【００１３】
【図１】本発明の諸実施形態による方法、ＮｏｄｅＢ機器及びユーザ機器が利用される通信システムの概略図である。
【図２】本発明の諸実施形態によるＮｏｄｅＢ機器の概略ブロック図である。
【図３】本発明の諸実施形態によるＭＳＡＰの例示的構造を示す図である。
【図４】本発明の諸実施形態によるマルチメディアサービスデータを送信するための方法を例示する特定の流れ図である。
【図５】本発明の諸実施形態によるユーザ機器の概略ブロック図である。
【図６】本発明の諸実施形態によるマルチメディアサービスデータを受信するための方法を例示する特定の流れ図である。
【発明を実施するための形態】
【００１４】
本発明の好ましい諸実施形態の詳細な説明が以下で諸図面に関連して提供される。本説明では、本発明の上記目的、特徴及び利点が不明瞭にならないように、本発明にとって不必要ないかなる詳細及び機能も省略される。
【００１５】
図１に、本発明の諸実施形態による通信システムのネットワークアーキテクチャを示す。図１に示されているように、ただ１つの進化型ｅＢＭ−ＳＣ（進化型ブロードキャスト／マルチキャストサービスセンタ）、１つのＭＢＭＳ  ＧＷ（ＧａｔｅＷａｙ）、同じＳＦＮ領域内にある２つのＮｏｄｅＢ、つまりｅＮＢ１及びｅＮＢ２、並びにユーザ機器ＵＥ１、ＵＥ２、ＵＥ３が例示のために示されているが、一方、ルータなどの他のいかなる装置も省略されている。
【００１６】
ＬＴＥの下で、ＭＢＭＳ  ＧＷと基地局ｅＮＢとの間のユーザプレーンインターフェースはＭ１インターフェースと呼ばれ、基地局ｅＮＢ１とｅＮＢ２との間のインターフェースはＸ２インターフェースと呼ばれる。
【００１７】
さらに、ユーザプレーンにおいては、データがＭＢＭＳ  ＧＷから直接ｅＮＢに送信され、それらの間のインターフェースはＭ１インターフェースと呼ばれる。制御プレーンにおいては、最初に、シグナリングがＭＢＭＳ  ＧＷからＭＣＥ（ＭＢＭＳ制御エンティティ）に送信され、次いで、ＭＣＥからＭ２インターフェース（１つ又は複数）を介してそれぞれのｅＮＢに送信される。スケジューリング期間の継続時間及び静的スケジューリング情報は両方ともＭＣＥによって構成される。
【００１８】
明らかに、図１に示されているネットワークアーキテクチャは、本発明の諸実施形態を例示することを意図するだけであり、いかなる実際の用途においてでも利用されるいかなるネットワークアーキテクチャをも限定すると解釈されるべきではない。当業者は複数のＭＢＭＳゲートウェイ及びより多くのＮｏｄｅＢを利用することができ、他の補助装置を追加することができる。
【００１９】
本発明の一実施形態によれば、ユーザ機器によって受信されるべきそれぞれのサービスの位置をユーザ機器に示すために、静的スケジューリング情報に加えて動的スケジューリング情報がＭＳＡＰに導入される。動的スケジューリング情報を表すために使用されるサブフレームはＭＳＡＰの一部分であり、これらのサブフレームは動的スケジューリング情報と呼ばれてよい。動的スケジューリングは静的多重化をサポートするために不可欠であり、ＤＲＸ（不連続ＲＸ）の場合、電力節約のために非常に有益である。前述のように、単一のＭＣＨは複数のサービスを搬送することが可能であり、ＵＥがその所望のサービスをＭＳＡＰによって示された全てのサブフレームを受信することにより受信する場合は、大量の電力が浪費される。
【００２０】
ＭＳＡＰは、ＭＣＥがセッションを変更するまで、そのセッションのために有効である。言い換えれば、ＭＳＡＰは、セッションの変更に伴って変わる可能性がある。１つのＭＳＡＰにＮｆのサブフレームがあると仮定すると（Ｎｆは自然数である）、これらのサブフレームは、サブフレームの送信タイミング関係に応じて１からＮｆまでのインデックスをつけられることが可能である。これは、特定のサービスのための送信機会を示すために有用であり、次に続くサブフレームの位置の正確な表示を回避し、従ってシグナリングオーバヘッドを低減する。本実施形態によれば、あるＥ−ＭＢＭＳサービスでは、特定のＭＴＣＨ（ＭＢＭＳポイント・ツー・マルチポイント・トラフィックチャネル）によって送信されるべきサブフレームのインデックスをＵＥに示すことが必要とされるだけである。
【００２１】
本発明の一実施形態によれば、ＭＳＡＰ内の個々のサービスのデータは連続したインデックスと共に送信される、即ち、同じサービスのためのインデックスは動的スケジューリング情報の構成を簡単にするために連続しているように設定される。この場合、例えば、ＭＳＡＰ内に提供されている動的スケジューリング情報は、サービスの開始インデックス及びインデックスの数だけを示す必要がある。これは、ＵＥの電力節約のために、特にＵＥがスケジューリング情報を正確に受信しない場合は、有益である。全てのｅＮＢは同じスケジューリング情報を保証するべきなので、スケジューリングされるべきパケットが最初に受信されバッファされなければならない。従って、ＭＳＡＰサブフレームセットの連続したインデックスを有する同じサービスのデータを記録し送信することは実行可能である。
【００２２】
図２に、本発明の諸実施形態による基地局（ＮｏｄｅＢ機器）の概略ブロック図を示す。図２に示されているように、ＮｏｄｅＢ機器は、バッファユニット１１０、パケット化ユニット１３０、スケジューリング情報生成ユニット１２０及び送信ユニット１４０を備える。
【００２３】
バッファユニット１１０は、ＭＢＭＳゲートウェイから受信ユニット（図示されていない）によって受信されたＭＢＭＳデータなどのマルチメディアサービスデータを一時的に記憶する。
【００２４】
いくつかのサービスのデータを送信するシナリオでは、ＮｏｄｅＢ機器は、ＭＣＥによって決められたＭＳＡＰ内のそれぞれのサービスの送信順序を送信する必要がある。例えば、送信ユニット１４０は受信ユニットを介して受信されたＭＳＡＰをＭＣＣＨ（ＭＢＭＳポイント・ツー・マルチポイント制御チャネル）を介して送信し、ＭＳＡＰにはそれぞれのサービスに関するデータの送信順序が入っている。
【００２５】
スケジューリングプロセスごとに送信順序情報を送信する必要はない。つまり、送信順序情報の送信は、一般に、６４０ミリ秒ごとになど、より低い頻度で繰り返される。スケジューリングは１６０ミリ秒だけの粒状度で行われてよい。通常、個々のサービスの順序情報はサービスセッションの開始時に決められる。順序情報は別のセッションが開始するまでＵＥに繰り返して送信され、その間中、変更の可能性は排除されない。その後、データが到着し、ｅＮＢがスケジューリングを行う。
【００２６】
前述のように、送信順序はＭＣＥによって予め構成されてよく、何らかの優先情報によって決められてよい。このようにすると、スケジューリング情報はより簡単になるはずであり、シグナリングオーバヘッドが少なくなる。例えば、同じＭＣＨ上で多重化された３つのサービス、つまりサービスＡ、サービスＢ及びサービスＣがある。３つのサービスにそれぞれ３、２、４の数のサブフレームが割り当てられている場合は、スケジューリング情報は｛３、２、４｝としてだけでよく、いかなるサービスＩＤも必要とされない。従って、ＭＣＨ上で多重化されたサービスのリストである送信順序情報をスケジューリングの順序と同じ順序でＭＣＣＨを介してＵＥに送信することが必要とされる。
【００２７】
従って、スケジューリング情報がより簡単な構造を有することができるように、ＭＢＭＳサービスごとのインデックスは連続している。一例として、スケジューリング情報生成ユニット１２０はサービスの開始インデックスを備えたスケジューリング情報を生成することができる。
【００２８】
さらに、本発明の一実施形態によれば、個々のサービスに関する動的スケジューリング情報がＭＳＡＰ内の第１のサブフレームの中に追加されることが可能であり、送信ユニット１４０によってそれぞれのスケジューリング更新期間にＭＳＣＨのようなＬ３論理チャネルを介して又はＬ１／Ｌ２シグナリングを介してユーザ機器に送信されることが可能である。Ｌ１／Ｌ２シグナリングを介してスケジューリング情報を送信する場合、スケジューリング情報はＭＡＣヘッダの一部分として送信されてもよく、又はＭＡＣ制御要素を介して送信されてもよい。
【００２９】
他の実施形態では、スケジューリング情報は特定のＭＴＣＨのサブフレームに分配されて送信されることが可能である。この場合、スケジューリング情報は、ＭＡＣ  ＰＤＵの一部分として様々なＭＡＣ  ＰＤＵに分配されることが可能であろう。
【００３０】
他の実施形態では、スケジューリング情報は、サービスデータと共に多重化されたスケジューリング情報を送信する上記の説明と違って、ＭＣＣＨを介して送信されることが可能である。
【００３１】
図３に、本発明の諸実施形態によるＭＣＨのＭＳＡＰの例示的構造図を示す。図３に示されているように、サービスＡ及びサービスＢはＭＣＨ上で多重化される。ＭＳＡＰサブフレームセットには合計８つのサブフレームがある。現在のスケジューリング期間においては、サービスＡはサブフレームインデックス｛１、２、３、４｝において送信されるべきであり、サービスＢはサブフレームインデックス｛４、５、６、７、８｝において送信されるべきである。サブフレーム４において、２つのサービスが同じＭＡＣ  ＰＤＵ内で連結される。スケジューリング情報は送信ユニット１４０内のＭＡＣ制御要素を介して送信される。例えば、スケジューリング情報はＭＳＡＰの第１のサブフレーム内に配置されることができる。
【００３２】
次いで、パケット化ユニット１３０が、ＭＳＡＰ内のサービスごとのインデックスが連続しており様々なサービスのデータパケットが一緒に連結されるように、セッションの開始前に決められた送信順序情報、並びにスケジューリング情報生成ユニット１２０によって生成された動的スケジューリング情報に従って、バッファユニット１１０に一時的に記憶されているサービスのデータをパケット化する。
【００３３】
データ送信期間中、送信ユニット１４０がサービスのデータをグループ化し、送信順序情報、及びスケジューリング情報生成ユニット１２０によって決められたスケジューリング情報に従って、それらを１つずつ時間順に送信する。
【００３４】
本発明の一実施形態によれば、スケジューリング情報が、通常はデータの送信前に、ＭＣＥによって定期的に更新されることが可能である。
【００３５】
図４は、本発明の諸実施形態によるマルチメディアサービスデータを送信するための方法を例示する特定の流れ図である。図４に示されているように、ステップＳ１１において、送信ユニット１４０が、ＭＣＥによって構成された送信順序情報を受信し、それをユーザ機器に転送する。
【００３６】
セッションの開始後ステップＳ１２において、バッファユニット１１０が、ＭＢＭＳゲートウェイから受信されたＭＢＭＳデータなどのマルチメディアサービスデータを一時的に記憶する。
【００３７】
次いで、ステップＳ１３において、スケジューリング情報が簡単な構造を有することができるように、ＭＢＭＳサービスごとのインデックスはＭＳＡＰ内で連続している。例えば、スケジューリング情報生成ユニット１２０は、サービスの開始インデックスを備えたスケジューリング情報を生成することができる。
【００３８】
前述のように、スケジューリング情報は開始位置情報を備えることができ、他の情報を追加して備えることができる。スケジューリング情報が開始位置情報だけを備える場合は、ＵＥは情報の受信時にブラインド検出を行う必要がある。即ち、ＵＥがあるスケジューリング期間中に別のサービスのデータを受信するか又はＭＳＡＰ内の最後のインデックスを受信した場合は、現在のスケジューリング期間中のサービスのための受信は完了する。
【００３９】
ステップＳ１４において、パケット化ユニット１３０が、ＭＳＡＰ内のサービスごとのインデックスが連続しており様々なサービスのデータパケットが一緒に連結されるように、セッションの開始前に決められた送信順序情報、並びにスケジューリング情報生成ユニット１２０によって生成された動的スケジューリング情報に従って、バッファユニット１１０に一時的に記憶されているサービスのデータをパケット化する。
【００４０】
データ送信期間中、送信ユニット１４０はサービスのデータをグループ化し、送信順序情報、及びスケジューリング情報生成ユニット１２０によって決められたスケジューリング情報に従ってそれらを１つずつ時間順に送信する。
【００４１】
図５に、本発明の諸実施形態によるユーザ機器の概略ブロック図を示す。図５に示されているように、ユーザ機器は受信ユニット２１０、受信制御ユニット２４０、送信順序情報抽出ユニット２２０、スケジューリング情報抽出ユニット２３０、ＭＢＭＳデータ記憶ユニット２５０、ＭＢＭＳデータ処理ユニット２６０及び提示ユニット２７０を備える。
【００４２】
最初に、受信ユニット２１０が、ＭＣＣＨチャネル上の送信順序情報を含むＮｏｄｅＢ機器から送信されたデータを全て受信する。次いで、送信順序情報抽出ユニット２２０が、受信ユニット２１０によって受信されたデータから、ＭＣＥによって構成された送信順序情報を抽出する。予め提供されているので、スケジューリングプロセスごとに送信順序情報を送信する必要はない。つまり、送信順序情報の送信は、一般に、６４０ミリ秒ごとになど、より低い頻度で繰り返される。スケジューリングは１６０ミリ秒だけの粒状度で行われてよい。通常、個々のサービスの順序情報はサービスセッションの開始時に決められる。順序情報は、別のセッションが開始するまでＵＥに繰り返して送信される。
【００４３】
セッション開始後、スケジューリング情報抽出ユニット２３０が、受信ユニット２１０によって受信されたデータからスケジューリング情報を抽出する。スケジューリング情報は、例えば、ＭＳＡＰ内にサービスの開始インデックスを備える。
【００４４】
次いで、送信順序情報及びスケジューリング情報に従って、受信制御ユニット２４０が受信ユニット２１０を、モバイルテレビプログラムなどの特定のサービスのＭＢＭＳデータを受信し、そのデータをＭＢＭＳデータ記憶ユニット２５０の中に記憶するように制御する。
【００４５】
この場合、受信ユニット２１０はＵＥが受信動作中にブラインド検出を行う必要がある。即ち、受信ユニットがあるスケジューリング期間中に別のサービスのデータを受信するか又はＭＳＡＰ内の最後のインデックスを受信した場合は、現在のスケジューリング期間中のサービスのための受信は完了する。
【００４６】
ＭＢＭＳデータ処理ユニット２６０は、ＭＢＭＳデータ記憶ユニット２５０に記憶されているＭＢＭＳデータに対してデコード及び解凍などの処理を行い、それらを提示されるべきコンテンツデータに復元する。次いで、コンテンツデータは、モバイルテレビプログラムを表示するなど、提示ユニット２７０によって提示される。
【００４７】
さらに、ユーザが新しいプログラムを受信したいと思う場合は、受信ユニット２４０はそのような新しいプログラムに対応するＭＢＭＳデータを受信することができる。
【００４８】
図６は、本発明の諸実施形態によるマルチメディアサービスデータを受信するための方法を例示する特定の流れ図である。図６に示されているように、最初に、受信ユニット２１０が送信順序情報を含むデータを全て受信する。次いで、ステップＳ２１において、送信順序情報抽出ユニット２２０が、受信ユニット２１０によって受信されたデータから、ＭＣＥによって構成された送信順序情報を抽出する。
【００４９】
セッションの開始後ステップＳ２２において、スケジューリング情報抽出ユニット２３０が、受信ユニット２１０によって受信されたデータからスケジューリング情報を抽出する。スケジューリング情報は、例えば、ＭＳＡＰ内のサービスの開始インデックスを備える。
【００５０】
次いで、ステップＳ２３において、送信順序情報及びスケジューリング情報に従って、受信制御ユニット２４０が受信ユニット２１０を、モバイルテレビプログラムなどの特定のサービスのＭＢＭＳデータを受信し、そのデータをＭＢＭＳデータ記憶ユニット２５０に記憶するように制御する。
【００５１】
ステップＳ２４において、ＭＢＭＳデータ処理ユニット２６０が、ＭＢＭＳデータ記憶ユニット２５０に記憶されているＭＢＭＳデータに対してデコード及び解凍などの処理を行い、それらを提示されるべきコンテンツデータに復元する。次いで、コンテンツデータは、モバイルテレビプログラムを表示するなど、提示ユニット２７０によって提示される。
【００５２】
本発明は、好ましい諸実施形態と共に上記で開示されてきた。当業者は、本発明の範囲内で本発明に対して様々な変形、置換及び追加を行うことができる。従って、本発明の範囲は、上記の特定の諸実施形態に限定されるのではなく、添付の特許請求の範囲によって定義されるべきである。
【図１】
0005778424.tif 000002
【図２】
0005778424.tif 000003
【図３】
0005778424.tif 000004
【図４】
0005778424.tif 000005
【図５】
0005778424.tif 000006
【図６】
0005778424.tif 000007